(57)【要約】【課題】本発明は、フラットパネルディスプレイのような周辺装置の配置、設置、接続を改善した周辺装置支持スタンドを提供することを目的としている。【解決手段】本発明の周辺装置支持スタンドは、垂直に上げられた位置にフラットパネルディスプレイ12のような周辺装置を取付け、可変位置における周辺装置の移動をサポートするように構成された高さの調節可能なスタンド1 と、高さの調節可能なスタンド1 をフルダウン位置において解除可能に結合するための押ボタン21等のロック機構とを具備していることを特徴としている。【選択図】      図１
2005316965.tif 000002
【特許請求の範囲】
【請求項１】
周辺装置支持スタンドにおいて、
垂直に上げられた位置に周辺装置を取付け、可変位置における周辺装置の移動をサポートするように構成された高さの調節可能なスタンドと、
高さの調節可能なスタンドをフルダウン位置において解除可能に結合するためのロック機構とを具備している周辺装置支持スタンド。
【請求項２】
さらに、周辺装置を高さの調節可能なスタンドに取付け、押ボタンを付勢するとき周辺装置を取外す取外し装置を具備している請求項１記載の周辺装置支持スタンド。
【請求項３】
周辺装置はフラットパネルディスプレイモニタを具備している請求項１記載の周辺装置支持スタンド。
【請求項４】
ロック機構は高さの調節可能なスタンドの移動を許容するためにロック機構をロック解除するためのアクチュエイタを具備している請求項１記載の周辺装置支持スタンド。
【請求項５】
アクチュエイタは押ボタンを具備している請求項４記載の周辺装置支持スタンド。
【請求項６】
ロック機構は少なくとも１つのスロットを有する滑動ロックプレートを具備し、前記滑動ロックプレートは高さの調節可能なスタンドがフルダウン位置にあるときに高さの調節可能なスタンドの延長部材と結合するように位置付けられている請求項１記載の周辺装置支持スタンド。
【請求項７】
さらに、延長部材をロックプレートから結合を解除するためのアクチュエイタを具備している請求項６記載の周辺装置支持スタンド。
【請求項８】
ロック機構は高さの調節可能なスタンドがフルダウン位置にあるときに高さの調節可能なスタンドの延長部材と解除可能に結合するための少なくとも１つの結合タブを有する滑動可能な結合ロックピースを具備している請求項１記載の周辺装置支持スタンド。
【請求項９】
さらに、滑動可能に結合されたロックピースを延長部材から結合解除するためのアクチュエイタを具備している請求項８記載の周辺装置支持スタンド。
【請求項１０】
アクチュエイタは押ボタンを具備している請求項９記載の周辺装置支持スタンド。
【請求項１１】
アクチュエイタは滑動可能に結合されたロックピースを第１の位置に維持するためのばねと、滑動可能に結合されたロックピースを第２の位置に移動するための押ボタンを具備している請求項９記載の周辺装置支持スタンド。
【請求項１２】
取外し可能な周辺装置の支持スタンドにおいて、
表面上に位置するように構成された支持スタンドと、
支持スタンドに動作可能に接続された取付けプレートと、
周辺装置に取付けられた解除可能なコネクタとを具備し、前記コネクタは、
取付けプレートと解除可能に結合するための可動ラッチと、可動ラッチを取付けプレートから結合解除するためのアクチュエイタとを具備している支持スタンド。
【請求項１３】
周辺装置はフラットパネルディスプレイモニタを具備している請求項１２記載の支持スタンド。
【請求項１４】
取付けプレートは可動ラッチと結合するための１以上のタブを具備している請求項１２記載の支持スタンド。
【請求項１５】
取付けプレートは穴パターンがＶＥＳＡ標準にしたがっている複数の取付け穴を具備している請求項１２記載の支持スタンド。
【請求項１６】
支持スタンドは、高さの調節可能な支持スタンドをフルダウン位置に解除可能に結合するためのロックダウン装置を備えた高さの調節可能な支持スタンドを具備している請求項１２記載の支持スタンド。
【請求項１７】
アクチュエイタは押ボタンを具備している請求項１２記載の支持スタンド。
【請求項１８】
可動ラッチはダイカスト金属で構成されている請求項１２記載の支持スタンド。
【請求項１９】
可動ラッチは少なくとも１つの結合タブと第１の傾斜した表面を備え、アクチュエイタは押ボタンと第２の傾斜した表面を備え、前記可動ラッチおよび前記アクチュエイタは動作可能に結合され、それによってアクチュエイタが付勢されるときに可動ラッチを移動するように第１の傾斜した表面は第２の傾斜した表面と結合する請求項１２記載の支持スタンド。
【請求項２０】
解除可能なコネクタは滑動可能な結合のために可動ラッチが位置付けられている誘導スリーブを具備している請求項１２記載の支持スタンド。
【発明の詳細な説明】
【技術分野】
【０００１】
本発明は、情報処理周辺装置の分野に関し、１つの特徴では、本発明はＬＣＤモニタ用の調節可能なスタンドに関する。
【背景技術】
【０００２】
情報の価値および使用が増加し続けるにつれて、個人およびビジネスは情報を処理し記憶するための付加的な方法を求めている。ユーザに利用可能な１つの選択肢は情報処理システムである。情報処理システムは通常、ビジネス、個人、またはその他の目的で情報またはデータを処理し、編集し、記憶し、およびまたは通信し、ユーザが情報の価値を利用することを可能にする。技術および情報処理の必要度および要求は異なるユーザまたは応用で変化するので、情報処理システムはどんな情報が処理されるか、どのようにして情報が処理されるか、どの程度の量の情報が処理され、記憶され、または通信されるか、どのくらい迅速および効率的に情報が処理され、記憶され、または通信されるかに関しても変化する。情報処理システムの変化は情報処理システムが一般的であるか、または財務トランザクション処理、航空機予約、企業のデータ記憶、またはグローバル通信のような特別なユーザまたは特別な使用のために構成されることを可能にする。さらに、情報処理システムは、情報を処理し、記憶し、通信するように構成されることができ、１以上のコンピュータシステム、データ記憶システム、ネットワーク化システムを含むことのできる種々のハードウェアおよびソフトウェアコンポーネントを含むことができる。
【０００３】
情報処理システムは技術でよく知られており、パーソナルコンピュータ、サーバ、ドッキングステーションを有するラップトップコンピュータ、およびその他のコンピュータシステムのような例を含んでいる。通常の情報処理システム、特にデル社のコンピュータシステムは広範囲の個人およびビジネス要求に対するコンピュータプロダクトの提供において世界中で広範囲の使用を実現している。パーソナルコンピュータシステムは典型的に、デスクトップ、フロア直立型、またはポータブルマイクロコンピュータとして規定されることができ、これらは１以上の中央処理装置（ＣＰＵ）と、ランダムアクセスメモリ（ＲＡＭ）および基本的入出力システム（ＢＩＯＳ）メモリを含む関連する揮発性および不揮発性メモリとを有するシステムユニットから構成されている。典型的に、パーソナルコンピュータシステムはまた、情報を表示し、印刷し、通信し、またはその他の処理をするための付加的なシステムおよび／または周辺装置を含んでいる。例えば（“ビデオディスプレイ端末”または“システムモニタ”としても知られている）ディスプレイ、スピーカ、プリンタ、ビデオディスプレイ制御装置、キーボード、ポインタ装置、スキャナ、ネットワークケーブルは、情報および幾つかのケースではパワーを情報処理システムから各周辺装置へ送るために情報処理システムに含まれるか、それに接続されている。
【０００４】
しばしば、システムおよび／または周辺装置は比較的永久的な位置に存在するように情報処理システムのセットアップ期間に位置される。主として、システムおよび／または周辺装置の位置を比較的固定することは情報処理システムおよび周辺機器がかさばり、重いためであり、これらはセットアップシステムの配置換えの実用性を制限する。１例として、通常の陰極線管（ＣＲＴ）ディスプレイは通常、大きいフットプリントと重量を有するので、デスクトップ環境におけるＣＲＴディスプレイの移動は実用的ではない。これは消費者がより大きなディスプレイスペースを有するさらに大きいＣＲＴディスプレイの方向に移行しているので、妥当である。
【０００５】
最近、情報処理システムコンポーネントのパワーが増加され、それらの寸法が減少しているので、情報処理システムおよび周辺コンポーネントの製造業者は設置したシステムの大きさを減少し、したがってシステムの構成において消費者のフレキシブル性を改良しようとしている。設置された情報処理システムのフットプリントを減少するのを助ける１つの革新はＣＲＴディスプレイの代わりにフラットパネルディスプレイを使用することである。フラットパネルディスプレイはＣＲＴディスプレイにより使用される蛍光画素の代わりに、情報を表示するために液晶ディスプレイ（ＬＣＤ）またはプラズマ画素を使用し、したがって画素を照射するために電子銃を必要としない。結果として、フラットパネルディスプレイはＣＲＴディスプレイと比較するとき、かなり奥行きおよび重量を減少させることができる。フラットパネルディスプレイの容積および重量の減少は情報処理システムのユーザがさらに容易にデスクトップ上のディスプレイの位置を調節することを可能にする。さらに、フラットパネルディスプレイはしばしばスタンド上に設置され、垂直および水平の両方によるディスプレイの回転と、デスクトップに関するディスプレイ領域の高さの調節を可能にする。典型的に、そのスタンドはディスプレイの高さ位置を制御するためばねまたはコイルタイプの機構を使用し、ここではばねまたはコイルタイプの機構は、スタンドおよびディスプレイがデスクトップのように水平表面に位置しているとき所望の高さで位置されることができるようにディスプレイの重量を相殺するように設計されている。しかしながら、ディスプレイスタンドの移動でしばしば生じる１つの難点は、スタンドのばねまたはコイルタイプの機構がスタンドを開かせまたはその高さまたは長さ全体まで延長させることである。これはディスプレイの処理を不便でやりにくくする。さらに高さ位置の拡張は出荷またはディスプレイを移動するとき、付加的な費用と複雑さを増加させる。
【発明の開示】
【発明が解決しようとする課題】
【０００６】
通常のディスプレイスタンド構造に関連する付加的な挑戦は典型的に、ディスプレイおよびディスプレイインターフェースのビデオ電子標準連合（ＶＥＳＡ）標準方式にしたがって、ＬＣＤモニタをねじまたは類似の固定機構によりスタンドに固定することである。このような通常の取付け機構はそのスタンドからのディスプレイの取外しを不必要に困難で複雑にし、モニタをスタンドから取外すためにスクリュードライバ−または他の器具の使用を必要とする。これは特別な取付け応用では、ＬＣＤディスプレイをそのスタンドから取外すことを困難にし、またディスプレイの輸送または移動のとき付加的な費用および複雑さを増す。
【０００７】
それ故、情報処理システムの周辺装置の配置、位置付け、接続を改良する方法および／または装置が必要とされている。さらに、デスクトップ環境のフラットパネルディスプレイの移動のように、情報処理システムの周辺装置の便利な移動をサポートするために情報処理システムの周辺装置を配置し、接続することが必要とされている。さらに、通常のシステムの制限および欠点は、添付図面を参照にして本願の特許明細書の残りの部分と以下の詳細な説明を考察後、当業者に明白になるであろう。
【課題を解決するための手段】
【０００８】
本発明によれば、従来の情報処理システムの周辺装置の支持スタンドに関連する欠点および問題を実質的に減少するシステムおよび方法が提供される。選択された実施形態では、周辺装置のスタンドに配置されたロック機構は、持ち上げる時または周辺装置がスタンドから取外される時、スタンドが開かれず延長されないように予め定められた位置にスタンドをロックし、押ボタンが高さの調節のためにスタンドを解除する。ロック機構は、プレート、ダイカストモールド部材、またはスタンドがフルダウン位置にあるときに支持スタンドを解除可能にラッチまたは結合するためのその他の結合装置でよい。例えばスタンドの高さ延長部分の内部ケーブルまたは構造部材は、高さ延長部分が下げられるかその他の方法で予め定められた位置に位置されるとき、ロック機構によって結合されることができる。
【０００９】
他の実施形態では、スタンドは押ボタン取外し機構を使用して、周辺装置に解除可能に取付けられる。選択された実施形態では、周辺装置スタンド上の取外し機構はスタンドを周辺装置に解除可能に取付け、それによって周辺装置はスタンドに固定して取付けられ、また押ボタン解除機構を使用して容易に取外される。取外し機構は（スタンドに取付けられた）取外しプレートと（周辺装置に取付けられた）解除可能なコネクタとにより構成されることができる。例えば解除可能なコネクタはプレート、ダイカストモールド部材、または取外しプレートを解除可能にラッチまたは結合するためのその他の結合装置を含むことができる。
【発明を実施するための最良の形態】
【００１０】
本発明の目的、利点、および他の優れた特徴は特許請求の範囲および添付図面と関連して以下の詳細な説明から明白になるであろう。  
取外しおよび／またはロックダウン特性を有する改良された周辺装置スタンドのための方法および装置を例示的な情報処理システムに関連して説明する。種々の詳細を以下の説明で説明するが、本発明はこれらの特別な詳細なしに実施できることが認識されるであろう。本発明を不明瞭にしないために、例えば、選択された特徴は詳細ではなくブロック図の形態で示されている。このような説明および表示は当業者によりそれらの作用の実態を他の当業者に説明し伝達するために使用される。この説明の目的で、情報処理システムはビジネス、科学、制御その他の目的で、任意の形態の情報、インテリジェンスまたはデータを計算し、分類し、処理し、送信し、受信し、検索し、発生し、切換え、記憶し、表示し、明示し、検出し、記録し、再生し、管理し、または使用するために動作可能な任意の手段または手段の集合を含むことができる。例えば情報処理システムはパーソナルコンピュータ、サーバ、ドッキングステーションを有するラップトップコンピュータ、ネットワーク記憶装置、または任意の他の適切なコンピュータシステムまたは装置であってもよく、寸法、形状、性能、機能、価格において変化してもよい。情報処理システムはランダムアクセスメモリ（ＲＡＭ）、中央処理装置（ＣＰＵ）またはハードウェアまたはソフトウェア制御論理装置のような１以上の処理リソース、ＲＯＭおよび／またはその他のタイプの不揮発性メモリを含むことができる。情報処理システムの付加的なコンポーネントは１以上のディスクドライブ、外部装置と通信するための１以上のネットワークポートおよびキーボード、マウス、ビデオディスプレイのような種々の入力出力（Ｉ／Ｏ）装置を含むことができる。情報処理システムはまた種々のハードウェアコンポーネント間で通信を送信するように動作可能な１以上のバスを含むことができる。
【００１１】
図１を参照すると、調節可能および取外し可能な支持体１が情報処理システム10と、ディスプレイモニタ、テレビジョン、ＬＣＤディスプレイ、またはフラットパネルディスプレイ12のような周辺装置に接続されて示されている。情報処理システム10はＣＰＵのような処理コンポーネント、フラットパネルディスプレイ12で提示するための情報を発生するビデオカードおよびオーディオカードを含んでいる。グラフィックおよび／またはビデオ情報はディスプレイスクリーンで提示されるためにビデオケーブル14を通して情報処理システム10からフラットパネルディスプレイ12へ伝送される。オーディオ情報は集積されたスピーカで提示するためにオーディオケーブル16を通して情報処理システム10からフラットパネルディスプレイ12へ伝送される。電力ケーブル18はフラットパネルディスプレイ12を付勢するためにパワーを情報処理システム10から提供する。
【００１２】
フラットパネルディスプレイ12は情報処理システム10から分離されている調節可能で取外し可能な支持スタンド１により観察位置で支持される。調節可能で取外し可能な支持スタンド１は支持スタンドベース20、支持部材22、周辺装置支持ベース24を含んでいるとして示されている。支持スタンドベース20は安定なプラットフォームを提供するためにデスクトップのような平面上に位置する。さらに、支持ベースは押ボタンまたは他の解除アクチュエイタ21により付勢されるスタンドロック（以下説明する）を含んでいる。本発明の種々の実施形態にしたがって、押ボタン21は支持スタンド１を予め定められた位置（例えばフルダウン位置）にロックするために使用される。押ボタン21を付勢するとき、スタンドはスタンドの高さ延長部材26を上げる動作のような高さの調節のために解除される。これはディスプレイ12を設置または再配置するときに容易な処理を可能にする。
【００１３】
調節可能な支持部材22はスタンド高さ延長部材26により下端部で支持ベース20に結合し、上端部で調節可能な周辺装置支持ベース24に結合している。周辺装置支持ベース24はフラットパネルディスプレイ12をユーザにより選択された観察位置に保持するためにフラットパネルディスプレイ12に結合している。支持部材22、スタンド高さ延長部材26、周辺装置支持ベース24は、支持スタンドベース20に関して観察角度を変更するために垂直軸を中心に回転し、および風景とポートレートの画面との間で画面を変更するように水平軸を中心に回転するように垂直軸に沿ってフラットパネルディスプレイ12を上げ下げして調節するように協動する。
【００１４】
垂直および回転軸を中心とするフラットパネルディスプレイ12の動作を助けるために、周辺装置支持部材24は特にユーザが位置調節をするためにディスプレイ12を掴んでいるときにはディスプレイ12に強固に固定されていなければならない。しかしながら、本発明の選択された実施形態は周辺装置支持ベース24をディスプレイ12に解除可能に接続するための取外し機構を提供する。例としておよび以下十分に説明するために、周辺装置支持ベース24はディスプレイ12の外部ハウジング上の接続機構と結合し、（モニタの背部に位置されることのできる）解除ボタンまたはその他の解除アクチュエイタ28を付勢するときに結合を解除される取外しプレートを含むことができる。本発明の種々の実施形態にしたがって、解除ボタン28は調節可能および取外し可能な支持体１からディスプレイ12を取外すために使用され、それによって輸送の損傷および／またはコストを減少するためにスタンドが別々に輸送されることを可能にする。さらに、取外し機構はユーザがディスプレイ12の壁の取付けのように特別な取付け応用でスタンドを容易に取外すことを可能にする。認識されるように、押ボタン21と28はプッシュイン、プッシュアウト、任意の方向での回転、および／または側面で滑動が可能である。
【００１５】
図２のａ乃至ｄを参照すると、本発明による取外し機構の例示的な実施形態がそれぞれ接続機構32と取外しプレート40の背面図および側面図を参照にして示されている。図２のａおよびｂで示されているように、周辺装置30の背面の外部ハウジングは（図２のｃおよびｄで示されているように）支持スタンド46に固定して取付けられることのできる取外しプレートと解除可能に結合するための接続機構32を含んでいる。
【００１６】
特に、周辺装置30の背面図および側面図を有する図２のａおよびｂで示されているように、接続機構32は、取外しプレート40（図２のｃに示されている）から１以上のタブ（例えば41、42、43）を受けるための穴またはスロットで構成される１以上のタブ受け部を備えて構成されることができる。例えば、タブの受け部34は、ファスナ、螺子、溶接等により周辺装置に固定されている第１の取付け部材34a へ溶接する方法等によって、周辺装置30に直接的または間接的に固定される上部接続部材34b に形成された１以上の開口34c から構成されることができる。取外しプレート40の解除可能な取外しを許容するために、接続機構32は解除ボタンその他の解除アクチュエイタ38の付勢により上下に動かされる可動ラッチ36を有して構成されることもできる。例えば、可動ラッチは上下の滑動可能な運動のために周辺装置30に取付けられることができ、それによってそれは通常はスリーブ内のばねまたはその他の張力構造（図示せず）の制御下で、スリーブ39の誘導アーム36d により周辺装置のハウジングの凹部内に可動ラッチを位置付けること等により“上”位置にある。結果として、解除ボタン38の傾斜した表面38a が可動ラッチ36の傾斜した表面36b に対して押されるとき、ラッチ36は押し下げられ、これらがスリーブ39を通して動くように誘導アーム36d により誘導され、ポスト37および／または解除ボタン38が通過する開口36c により誘導される。ラッチ36の下方向の運動を通して、タブ36a により形成される１以上のタブ受け部、穴またはスロット36e は取外しプレート40（図２のｃに示されている）から１以上のタブ（例えば44、45）を受けるように位置されている。一度、解除ボタン38が消勢されると、ばね39はボタン38を押し戻し、それによって、タブを取外しプレートから堅く結合するためにラッチ36がその通常の“上”位置に戻ることを許容する。認識されるように、可動ラッチは任意の設計、形状、構造および／または材料で構成されることができるが、選択された実施形態にしたがって、可動ラッチはダイカスト金属（例えば亜鉛またはスチール）で構成されるかまたは金属スタンプ技術或いは任意の利用可能な鋳造技術を使用して構成されることができる。さらに、周辺装置に関するラッチの位置付けおよび動作は誘導アーム36d 、スリーブ39、ポスト37、開口37に関して示されているが、溝、ローラー、ベアリング等の使用によるような他の方法が類似の効果で使用されることができることが認識されるであろう。認識されるように、可動ラッチは任意の方向（例えば上、下または左右）に動くか、回転および／または側面で滑動するか、またはその他の方法でプレートとの結合を解除するように動作することができる。
【００１７】
取外しプレート40の背面図および側面図である図２のｃおよびｄを参照すると、取外しプレート40はファスナ、螺子、溶接等により（図２のｄでは破線で示されている）スタンド46に直接的または間接的に取付けられている。示されているように、取外しプレート40は１以上のタブ、延長部、フック、または接続機構32（図２のａとｂで示されている）の受け部、穴またはスロット34ｃ、36e と結合するための他の結合部材（例えば41−45）により構成されることができる。プレート40をコネクタ即ち接続機構32に解除可能に結合するために、上部タブ41、42、43は上部タブ開口34c に挿入され、下部タブ44、45がタブ36a の傾斜した表面に結合するとき、可動ラッチ36は下部タブがスロット36e と結合するように下に移動する。一度、位置に収まると、可動ラッチ36は通常の“上”位置に戻り、それによって取外しプレート40とスタンド46を周辺装置30へ固定する。認識されるように、取外しプレート40は任意の設計、形状、構造および／または材料で構成されることができるが、選択された実施形態によれば、取外しプレートはダイカスト金属（例えば亜鉛またはスチール）で構成されるかまたは金属スタンプ（プレス）技術或いは任意の利用可能な鋳造技術を使用して構成されることができる。図２のｃに示されているように、取外しプレート40は、ＬＣＤモニタ、プラズマディスプレイ、その他のフラットパネル装置における取付けインターフェース、穴パターン、関連されるケーブル／電源位置を規定する１以上のＶＥＳＡ標準方式にしたがって間隔を隔てられている１以上の螺子開口47を含むことができるが、ＶＥＳＡ  ＭＩＳ−Ｄ、ＭＩＳ−Ｅ、ＭＩＳ−Ｆ標準に限定されない。
【００１８】
図３を参照すると、接続機構32により使用されることのできるようなラッチピース50の斜視図が示されている。示されているように、ラッチ50はダイカストピースまたは鋳造ピースとして構成されることができる。しかしながら、構成されたラッチピース50は背面パネル51、側部タブ56、結合タブ53、55、押ボタン結合表面58、開口59、誘導アーム57a 、57b を含んでいる。ラッチピース50は、側部タブ56および／または誘導アーム57a 、57b を誘導スリーブ（図示せず）中に位置させることにより、および／またはラッチポスト（例えば図２のｂに示されているポスト37）の周囲に開口59を位置付けることにより、接続機構の一部として滑動可能に結合されることができる。押ボタン結合表面38は押ボタンが付勢されるときラッチピース50を下に滑動するために押ボタン（図示せず）の傾斜した表面と結合する。開口59はラッチピース50がラッチポストを中心に上下に移動することを許容する。ラッチピース50が下方にあるとき、結合タブ53、55により形成されるスロット52、54で結合される取外しプレートタブ（図示せず）は除去または結合解除されることができる。類似の方法で、取外しプレートタブはそれが結合タブ53、55の傾斜した表面と結合されるときラッチピース50と結合するように動かされ、それによってラッチピース50は取外しプレートタブがスロット52、54に適合するように下に移動する。認識されるように、ラッチピースは任意の方向（例えば上、下または左右）に動くか、回転および／または側面で滑動するかまたは他の方法でプレートとの結合を解除するように動作する。
【００１９】
図４のａ乃至ｅを参照すると、本発明にしたがった例示的なロックダウンラッチ機構の実施形態がそれぞれ例示的な位置部材60とロックピース65の側面図および正面図を参照して示されている。図４のａ乃至ｂに示されているように、周辺装置スタンドは支持スタンド１に固定して取付けられることができる（図４のｃとｄに示されているような）ロックピース65と解除可能に結合するための位置部材60を含むことができる。例えば、ロックピース65は支持部材22に含まれ、高さ延長部材（例えば図１に示されている高さ延長部26）の位置部材コンポーネントを受けてそれと結合するように位置される。ここでは滑動可能に結合するピースとして示されているが、ロックピースは滑動、回転または他の方法で位置部材との結合から外れるように動くことができることが認識されるであろう。
【００２０】
特に、位置部材60の側面図および正面図である図４のａおよびｂで示されているように、位置部材60は（図４のｃとｄに示されている）ロックピース65と結合するための１以上のタブ受け部、穴、スロットまたは開口60a で形成されることができる。ここで示し説明するように、開口60a もコネクタ61により位置部材60に取付けられるばねまたはコイル装置62を含むことができる。このばねまたはコイル装置62はロックピース65と結合するときに位置部材60上に下方向の力を与え、同時に、開口60a 内で結合するとき、ロックピースタブ65b に上方向の力を与える。さらに、位置部材60は高さ延長部材60b を含み、これは高さ延長部材26のようなスタンド１の内部ケーブルまたは構造部材コンポーネントから形成されるか、それに接続されることができる。位置部材60とロックピース65との結合を許容するために、周辺装置の位置が調節されるときに上下に動く位置部材は、位置エレメント60とロックにピース65との結合のロックを助けるために傾斜した表面60c を含む。結合されると、側壁60b はカスタマが周辺装置を押し下げるとき等、位置部材60がロックピース65に関して手動で押し“下げ”られない限り、結合を解除するようにロックピース65（特にロックピースタブ65b ）の水平の滑動を阻止する。
【００２１】
側面図と正面図である図４のｃとｄを参照すると、ロックダウン機構により使用されることができるようなロックピース65が示されている。さらに、図４のｅはロックピース65の斜視図を示している。認識されるように、ロックピース65は任意の設計、形状、構造および／または材料で構成されることができるが、選択された実施形態によれば、ロックピース65はプレス、ダイカストまたはモールドされたピースとして構成されることができる。しかしながら、構成されるとき、ロックピース65はフロントパネル65h 、（固定螺子67が通過するためのスロット開口65e が形成されている）ベースプレート65g 、バックパネル65f 、スプリングポスト65d 、傾斜した表面65c 、スロットまたは開口65a を形成するロックピースタブ65b を含んでいる。ロックピース65はそのベースプレート65g に形成されている（図４のｃでは破線で示されている）開口またはスロット65e を通して固定螺子67によりスタンドに対して可動に取付けられている。例えば固定螺子67は調節可能で取外し可能な支持スタンド１の支持ベースと結合されることができる。示されているように、ロックピース65はスプリングポスト65d の周辺に位置されているスプリングまたはコイル68に対して押ボタンまたはその他のアクチュエイタ66を付勢することによって水平面で前後に動くことができる。例えばロックピース65は左右に滑動動作するために支持スタンドに取付けられ、それによってこれは押ボタン66によって“右”位置へ動くように付勢されない限り、通常は“左”位置に存在する。その結果として、位置部材60の傾斜した表面60c がロックピース65の傾斜した表面65c に対して押し下げられるとき、ロックピース65はばね68に対して右に押される。一度、側壁60b がロックピースタブ65b の下になると、ばね68はロックピース65をその通常の“左”位置に戻し、それによって位置部材60をロックダウン位置に結合する。位置部材60のロックを解除するため。位置部材は押し下げられ、押ボタンが付勢され、右に押され、それによって位置部材が手動でまたはスタンド中のコイルまたはばねコンポーネント（図示せず）に応答して上げられることを許す。この構造により、カスタマがスタンド（図示せず）のコイルまたはばねコンポーネントの持上げ動作を制御する準備がされていない限り、位置部材が偶然的な押ボタンの付勢により解除されない。
【００２２】
図５のａ乃至ｃを参照すると、本発明にしたがった別の例示的なロックダウン機構の実施形態が例示的な支持延長部材70とロックプレート74のそれぞれ側面図および平面図を参照して示されている。図５のａとｂで示されているように、周辺装置スタンドは支持スタンド１に固定して取付けられることのできる（図５のｃの平面図に示されている）ロックプレート74と解除可能に結合するための支持延長部材70を含むことができる。例えばロックプレート74は支持部材22の下部に固定され、高さ延長部材（例えば図１に示されている高さ延長部26）のコンポーネントを受けそれと結合するように位置されている。
【００２３】
特に、図５のａおよびｂで示されているように、支持延長部材70はロックプレート74との結合を解除した状態（図５のａ）および結合した状態（図５のｂ）で示されている。（高さ延長部26が上げられているときに生じる）結合解除位置ではロックプレート74と結合されておらず、ロックプレートはばねまたはコイル装置76により好ましい位置に維持されている。受けスロット（例えば開口74c ）に関する支持延長部材70の適切な位置付けにより、支持延長部材70は、押しボタン72がロックプレートタブ74a に対して押されるように付勢されない限り、ロックプレート74とのロック結合に入ることを阻止され、それによって受けスロットと支持延長部材70を整列するためにロックプレートを左に動かす。したがって整列されるとき、支持延長部材70は受けスロットを通して下げられ、それによってばねまたはコイル装置76の制御下で、ロックプレートがその好ましい位置に戻るとき、支持延長部材70は図５のｂに示されているように、ロックプレート74との結合をロックするように位置されている。一度結合されると、ロックプレート74上に滑動タブ74b を含むことにより、意図しない結合解除が防止される。例えば支持延長部材70の開口と結合するためにロックプレート74上に傾斜した表面74b を設けることによって、ロックプレート74は支持延長部材70が下げられない限り押ボタン72の付勢により結合を解除されない。
【００２４】
図５のｃの平面図に示されているように、ロックプレート74は（開口74c と74d を通して挿入され滑動タブ74b 、74e と結合されるとして破線で示されている）１以上の支持延長部材71、70と結合するために１以上のタブ受け部、穴、スロットまたは開口74c 、74d を形成されることができる。付加的なタブ受け部、穴、スロットまたは開口はロックプレート74の動作の誘導および制御のために設けられている。例えば開口74h 、74i は誘導ポストまたは螺子77、78を受け、それによって押ボタン72とばねまたはコイル装置76に応答してロックプレートを動かすことを許容する。このようにして、ロックプレート74はそこに形成された開口またはスロット74h 、74i を通して固定螺子77、78（または類似の装置）に可動に取付けられる。例えば固定螺子77は調節可能で取外し可能な支持スタンド１の支持ベースと結合できる。付加的な溝またはスロット74j はまたロックプレート74を支持ベース（図示せず）の他のコンポーネントと滑動可能に結合するために使用されることもできる。
【００２５】
図５のｃに示されているように、ばねまたはコイル装置76は好ましい位置にロックプレート74を維持し、ボタン72の付勢はロックプレートをその好ましい位置から転移するようにロックプレートタブ74a を押す。その結果として、押ボタン72がロックプレートタブ74a を押し下げ、ロックプレート74はばね76に対して押される、一度、スロットまたは開口74c 、74d が適切に整列されると、支持延長部材70は開口74c 、74d と結合するように滑動し、それによって支持延長部材70をロックダウン位置に結合する。支持延長部材70のロックを解除するために、支持延長部材70は押し下げられ、押ボタン72が付勢されて押され、それによって支持延長部材70が手動でまたはスタンド（図示せず）のコイルまたはばねコンポーネントに応答して上げられることを許容する。この構造により、カスタマがスタンドのコイルまたはばねコンポーネント（図示せず）の持上げ動作を制御する準備がされていない限り、支持延長は偶然に押ボタンの付勢により解除されない。
【００２６】
図５のａとｂから認識されるように、ロックプレート74はダイカストピースまたは鋳造されたピースとして構成されてもよいが、スタンプされた金属ピースとして形成されると有効である。金属スタンプの使用により、ロック機構は効率的に製造され、調節可能で取外し可能な支持スタンドに適合するような形状にされることができる。
【００２７】
本発明のロックダウン機構の実施形態は種々の周辺装置支持スタンドにより種々の方法で構成されることができるが、図６はフラットパネルディスプレイシステムのロックダウン機構の例示的な構成を示している。示されているように周辺装置支持スタンド101 はＬＤＣモニタのようなフラットパネルディスプレイ112 を支持する。ディスプレイ112 の高さは支持部材122 内の高さ延長部126 のテレスコープ調節動作により調節されることができる。ロックダウン機能は高さ調節部126 に固定された延長部材128 とのロックプレート130 の解除可能な結合により行われる。ここで説明するように、延長部材128 はスロット（図示せず）をロックプレート130 と整列させ、それによって延長部材128 がスロットを通過できるように押ボタン121 を付勢することによってロックプレート130 と結合される。押ボタン121 が消勢されるとき、ロックプレートのばね132 はロックプレート130 をロックダウンハウジング124 のその通常位置または好ましい位置に戻すように押し、それによって延長部材124 をそのロックされた位置に保持する。延長部材128 を解除するために、押ボタン121 が付勢され、高さ延長部126 は押し下げられ、それによってディスプレイ112 が上げられるように垂直の上方向に動くように延長部材128 の結合を解除する。
【００２８】
本発明のシステムおよび方法を好ましい実施形態に関して説明したが、これは本発明を説明した特定の形態に限定することを目的とするものではなく、反対に、特許請求の範囲により規定されている本発明の技術的範囲内に含まれているこのような置換、変形、等化をカバーすることを意図し、したがって当業者はその最も広い形態において本発明の技術的範囲を逸脱せずに種々の変形、代用、代替を行うことができることを理解すべきである。
【図面の簡単な説明】
【００２９】
【図１】本発明の選択された実施形態にしたがった情報処理システムのフラットパネルディスプレイの背面図。
【図２】本発明の選択された実施形態にしたがった例示的な取外し機構のクローズアップ背面図および側面図。
【図３】本発明の選択された実施形態にしたがった取外し可能なラッチのクローズアップ斜視図。
【図４】本発明の選択された実施形態にしたがった例示的なロックダウンラッチ機構のクローズアップ側面図、背面図および斜視図。
【図５】本発明の選択された実施形態にしたがった代わりの例示的なロックダウンラッチ機構のクローズアップ側面図および平面図。
【図６】フラットパネルディスプレイシステムにおけるロックダウン機構の例示的な構成図。
【図１】
2005316965.tif 000003
【図２】
2005316965.tif 000004
【図３】
2005316965.tif 000005
【図４】
2005316965.tif 000006
【図５】
2005316965.tif 000007
【図６】
2005316965.tif 000008